(57)【要約】【課題】充電効率を向上させた発電装置、これを備えた電子機器、及び発電装置の制御方法を提供することを目的とする。【解決手段】本発明に係る発電装置は、相変化材料（蓄熱材料）３と、第１側面と第２側面との温度差を利用して発電する熱電交換素子２と、を備えている。第１側面は、人体の体温と、当該人体の体温とは異なる温度の周辺温度と、のいずれかと選択的に熱的に連結可能である。また、第２側面は、相変化材料（蓄熱材料）３と熱的に連結されている。【選択図】図１
2013078202.tif 000002
【特許請求の範囲】
【請求項１】
蓄熱材料と、
第１側面と第２側面との温度差を利用して発電する熱電交換素子とを備え、
前記第１側面は、人体の体温と、当該人体の体温とは異なる温度の周辺温度と、のいずれかと選択的に熱的に連結可能であり、
前記第２側面は、前記蓄熱材料に熱的に連結されている発電装置。
【請求項２】
第１発電期間において、前記蓄熱材料は、前記体温の熱を前記第２側面を介して蓄熱し、
第２発電期間において、
前記熱電交換素子は、前記体温と熱的に非連結となって前記周辺温度と熱的に連結した第１側面と、前記第１発電期間において前記体温により蓄熱された前記蓄熱材料に連結された第２側面と、の温度差を利用して発電する請求項１に記載の発電装置。
【請求項３】
前記第１発電期間において、
前記熱電交換素子は、前記体温と熱的に連結した前記第１側面と、前記蓄熱材料と熱的に連結された前記第２側面と、の温度差を利用して発電し、
前記第２側面の温度上昇は、前記蓄熱材料の吸熱により緩和される請求項２に記載の発電装置。
【請求項４】
前記蓄熱材料は、相変化材料である請求項１乃至３のうちいずれか１項に記載の発電装置。
【請求項５】
前記熱電交換素子により生成された電流を供給対象に供給する整流回路を備え、
前記電流の供給対象は、プラス端子とマイナス端子とを有し、
前記熱電交換素子は、第１端子と第２端子とを有し、
前記電流供給回路は、前記熱電交換素子に流れる電流方向に応じて、前記第１端子及び前記第２端子のうち電流を流出している一方を前記プラス端子に接続し、前記第１端子及び第２端子のうち電流を引き込んでいる他方を前記マイナス端子に接続するように接続を切り替える請求項１乃至４のうちいずれか１項に記載の発電装置。
【請求項６】
太陽光を用いて発電する太陽光発電装置を更に備えた請求項１乃至５のうちいずれか１項に記載の発電装置。
【請求項７】
前記熱電交換素子が発電を行っていないことを検出する検出手段と、
前記検出手段により発電していないことが検出されると、ユーザに、前記第１側面又は前記第１側面と熱的に連結された部材に、接触／非接触するよう促す表示又は音声出力を行う報知手段を備える請求項１乃至６のうちいずれか１項に記載の発電装置。
【請求項８】
前記検出手段は、前記第１側面と前記第２側面との温度差と、前記熱電交換素子に接続された電流経路に電流が流れているか否かと、のうち少なくとも一方を検出する請求項７に記載の発電装置。
【請求項９】
前記熱電交換素子により生成された電流を充電する充電池を更に備えた請求項１乃至８のうちいずれか１項に記載の発電装置。
【請求項１０】
蓄熱材料と、第１側面と第２側面との温度差を利用して発電する熱電交換素子と、を備え、前記第１側面は、人体の体温と、当該人体の体温とは異なる温度の周辺温度と、のいずれかと選択的に熱的に連結可能であり、前記第２側面は、前記蓄熱材料に熱的に連結されている発電装置を用いた発電方法であって、
第１発電期間において、
前記蓄熱材料に前記体温の熱を前記第２側面を介して蓄熱し、
第２発電期間において、
前記体温と熱的に非連結となって前記周辺温度と熱的に連結した前記熱電交換素子の第１側面と、前記第１発電期間において前記体温により蓄熱された前記蓄熱材料に連結された第２側面と、の温度差を利用して発電する発電方法。
【発明の詳細な説明】
【技術分野】
【０００１】
本発明は、電力供給対象へ供給する電力を生成する発電装置及び発電装置の制御方法に関する。
【背景技術】
【０００２】
近年、電力不足が深刻な問題となっている。一般的に、充電池や電子機器等に充電・給電する方法としては、太陽光発電や、ダイナモを用いる発電方法が知られている。しかしながら、太陽光発電は、太陽光を利用するため、発電できる時間帯、場所及び天候に制限がある。また、ダイナモによる充電では、ダイナモに接続されているレバーを手動で回転させる等の操作が必要となり、長時間の充電には適さない。
【０００３】
これに対し、従来より、熱電交換素子を利用した熱電発電が知られている。熱電発電では、熱電交換素子の高温側接合部と低温側接合部との間に温度差を与えることで、起電力が発生するゼーベック効果が利用されている。
【０００４】
例えば、特許文献１には、高温側接合部と低温側接合部とを有する熱電素子と、熱電素子の高温側接合部を加熱する手段と、熱電素子の低温側接合部を高温側よりも低温に維持する手段とを備え、熱電素子の高温側接合部と低温側接合部との間の温度差によりゼーベック効果を利用して熱電発電を行う熱電発電装置が開示されている。
【先行技術文献】
【特許文献】
【０００５】
【特許文献１】特開平５−１６７１０４号公報
【発明の概要】
【発明が解決しようとする課題】
【０００６】
しかしながら、特許文献１に開示された装置では、熱電素子の高温側接合部を加熱する手段と、熱電素子の低温側接合部を高温側よりも低温に維持する手段と、のそれぞれを必要とし、装置が大掛かりとなる。具体的には、特許文献１に開示された装置では、高温側接合部を加熱する手段として、給湯機から供給される湯を用い、低温側接合部を高温側よりも低温に維持する手段として水道水を用いている。そのため、特許文献１に開示された装置では、湯や水道水を供給する手段が必要となり、発電装置を、移動通信端末のような小型の電子機器等に適用することができない。
【０００７】
本発明は、このような問題点に対してなされたものであり、小型化が可能な発電装置及び発電装置の制御方法を提供することを目的とする。
【課題を解決するための手段】
【０００８】
本発明に係る発電装置の一態様は、蓄熱材料と、第１側面と第２側面との温度差を利用して発電する熱電交換素子とを備える。第１側面は、人体の体温と、当該人体の体温とは異なる温度の周辺温度のいずれかと選択的に熱的に連結可能である。第２側面は、前記蓄熱材料に熱的に連結されている。
【０００９】
また、本発明に係る発電方法の一態様は、蓄熱材料と、第１側面と第２側面との温度差を利用して発電する熱電交換素子とを備え、前記第１側面は、人体の体温と、当該人体の体温とは異なる温度の周辺温度のいずれかと選択的に熱的に連結可能であり、前記第２側面は、前記蓄熱材料に熱的に連結されている発電装置を用いた発電方法である。この発電方法は、第１発電期間において、前記蓄熱材料に前記体温の熱を前記第２側面を介して蓄熱し、第２発電期間において、前記体温と熱的に非連結となって前記周辺温度と熱的に連結した前記熱電交換素子の第１側面と、前記第１発電期間において前記体温により蓄熱された前記蓄熱材料に連結された第２側面の温度差を利用して発電する。
【発明の効果】
【００１０】
本発明によれば、簡易な構成で小型化が可能な発電装置及び発電方法を提供することができる。
【図面の簡単な説明】
【００１１】
【図１】本発明の実施の形態１に係る発電装置の構成を示すブロック図である。
【図２】本発明に係る発電装置を有する電子機器の構成を示す平面図である。
【図３】図２のＩＩＩ−ＩＩＩ断面図である。
【図４】本発明に係る発電装置の動作を示す図である。
【図５】本発明の実施の形態２に係る発電装置の構成を示すブロック図である。
【図６】本発明の実施の形態２に係る発電装置の変形例を示すブロック図である。
【発明を実施するための形態】
【００１２】
以下、添付した図面を参照して本発明の最良な実施の形態について説明する。
【００１３】
実施の形態１．
図１は、本発明の実施の形態１に係る発電装置の構成を示す機能ブロック図である。発電装置１は、熱電交換（変換）素子２、相変化材料３、整流回路４、充電回路５、及びバッテリ６を有している。発電装置１は、例えば、携帯電話端末等の移動通信端末や、パーソナルコンピュータ等に設けられる。発電装置１は、これらの電力の供給対象となる電子機器等に電力を供給するための装置である。
【００１４】
熱電交換素子２は、第１側面（以下、Ａ面２０１という）と第２側面（以下、Ｂ面２０２という）を有している。Ａ面２０１とＢ面２０２が対向する面に配されている。熱電交換素子２は、Ａ面２０１とＢ面２０２に温度差を与えることにより、起電力が生じ、電流が流れる。なお、このような現象は、ゼーベック効果と呼ばれている。熱電交換素子２としては、ペルチェ素子を用いることができる。熱電交換素子２には、第１端子と第２端子が設けられている。後述するように、この第１端子及び第２端子は、Ａ面２０１及びＢ面２０２のいずれの温度が他方よりも高いかに応じて、プラス端子及びマイナス端子として相補的に機能する。
【００１５】
相変化材料３は、熱電交換素子２のＢ面２０２に接するよう配置されている。なお、相変化材料３は、熱電交換素子２のＢ面２０２に熱的に連結可能に設けられていればよく、相変化材料３と熱電交換素子２との間には、他の材料や空間が介していてもよい。
【００１６】
相変化材料３は、規定温度で固相（固体）と液相（液体）に変化する材料である。本実施の形態１における相変化材料３は、温度が低い状態で固体となり、規定温度（相変化温度）を超えると、固体から液体に変化する性質を有しているものとする。相変化材料３は、固体から液体へ相変化する際に、大きなエネルギー（潜熱）を必要とする。本実施の形態１に係る発電装置１では、この相変化材料３の相変化に伴う吸熱の性質を利用して、Ａ面２０１とＢ面２０２の温度差を一定の温度差に保つように工夫されている。
【００１７】
整流回路４は、熱電交換素子２により生成された電流の方向を制御し、充電回路５に供給している。ここで、電流の供給対象である充電回路５は、プラス端子とマイナス端子を有している。一方、熱電交換素子２は、第１端子と第２端子を有しており、Ａ面２０１とＢ面２０２のいずれの温度が高いかに応じて、電流の流れる方向が異なる。整流回路４では、熱電交換素子２に流れる電流の方向に応じて、熱電交換素子２の第１端子と第２端子を、電流の供給対象である充電回路５のプラス端子とマイナス端子へ接続を切り替えるように構成されている。
【００１８】
具体的には、熱電交換素子２の第１端子が電流を流出し、第２端子が電流を引き込んでいる場合には、第１端子をプラス端子に接続し、第２端子をマイナス端子に接続する。一方、熱電交換素子２の第１端子が電流を引き込み、第２端子が電流を流出している場合には、第１端子をマイナス端子に接続し、第２端子をプラス端子に接続する。このように、整流回路４は、熱電交換素子２によって生成される電流の方向に応じて、熱電交換素子２の第１端子及び第２端子を、電流の供給対象の回路のプラス端子とマイナス端子に切り替えている。
【００１９】
図１の例では、整流回路４は、整流ダイオード４１〜４４を備えている。また、整流回路４は、熱電交換素子２の第１端子と充電回路のプラス端子を接続する第１電流経路と、熱電交換素子２の第２端子と充電回路のマイナス端子を接続する第２電流経路と、熱電交換素子２の第２端子と充電回路のプラス端子を接続する第３電流経路と、熱電交換素子２の第１端子と充電回路のマイナス端子を接続する第４電流経路を有している。
【００２０】
第１電流経路には、第１端子からプラス端子に電流が流れる方向に順方向を有する整流ダイオード４１が設けられている。また、第２電流経路には、マイナス端子から第２端子に電流が流れる方向に順方向を有する整流ダイオード４４が設けられている。同様に、第３電流経路には、第２端子からプラス端子に電流が流れる方向に順方向を有する整流ダイオード４２が設けられている。また第４電流経路には、マイナス端子から第１端子に電流が流れる方向に順方向を有する整流ダイオード４３が設けられている。
【００２１】
このように電流経路及び整流ダイオードを配することで、熱電交換素子２によって生成される電流の方向に応じて、熱電交換素子２の第１端子及び第２端子を、電流の供給対象の回路のプラス端子とマイナス端子に切り替えることができる。なお、整流回路４の構成は、図１の構成に限られず、種々の設計変更が可能である。このようにして整流回路４によって整流された電流は、充電回路５を介して、バッテリ６に充電される。
【００２２】
充電回路５は、整流回路４によって整流された電流を、バッテリ６に供給している。バッテリ６は、図示しない制御回路、メモリ等の電子部品に電力を供給している。なお、図１では、整流回路４は、充電回路５を介してバッテリ６に充電を行っているが、充電回路５やバッテリ６を介さずに、電流供給対象の回路に直接電力を供給するよう構成してもよい。
【００２３】
このように構成された発電装置１は、例えば、図２及び図３に示すようにレイアウトすることができる。図２は、本発明の実施の形態１に係る発電装置の構成例を示す平面図であり、図３は、図２におけるＩＩＩ−ＩＩＩ断面図である。
【００２４】
発電装置１は、ケース７の内部に、熱電交換素子２が載置されている。ケース７は、熱電交換素子２のＡ面２０１以外の部分を覆うように構成されている。換言すれば、熱電交換素子２のＡ面２０１は、ケース７の外へ露出するように配置されている。
【００２５】
このように構成することで、ユーザは、熱電交換素子２のＡ面２０１に直接触れることができる。これにより、ユーザの体温の熱を効率よく熱電交換素子２に伝えることができる。なお、熱電交換素子２は、人体の体温と熱的に連結可能に構成されていればよく、必ずしもケース７の外側に露出している必要はない。例えば、熱交換素子２に熱電導性のある材料を貼り付け、ユーザがこの熱電導材料に触れるように構成してもよい。
【００２６】
熱電交換素子２のＢ面２０２には、相変化材料３が設けられている。熱電交換素子２と相変化材料３は、図３に示すように、平面上、略同じ大きさに形成され、全面において接している。このように、熱電交換材料２と相変化材料３を全面において接触させることにより、熱電交換素子２と相変化材料３の熱交換を効率的に行うことができる。なお、熱電交換材２と相変化材料３は、一部のみ接触するように構成してもよく、熱電交換材２と相変化材料３のいずれか一方が他方の２面以上を覆うように構成してもよい。熱電交換素子２によって生成された電流は、整流回路４、充電回路５を介してバッテリ６に充電される。
【００２７】
次に、このように構成された発電装置１の動作について説明する。図４は、本発明の実施の形態に係る発電装置１の動作を示す図である。図４において、縦軸は温度、横軸は時間を示している。図４において、実線はＡ面２０１の温度を示し、点線はＢ面２０２の温度を示している。また、図４の上方には、Ａ面２０１と人体の接触状態、相変化材料３の状態、熱電交換素子２に流れる電流の状態が示されている。
【００２８】
発電装置１が常温（ここでは、２５℃とする）のＴ１でしばらく放置されて場合の時間をＰ１とする。時間Ｐ１では、熱電交換素子２のＡ面２０１とＢ面２０２が常温の温度２５℃のＴ１と同じ温度になる。そのため、熱電交換素子２には電流は流れない。また、相変化材料３は常温Ｔ１において固体の状態にある。
【００２９】
時間Ｐ２において、熱電交換素子２のＡ面２０１にユーザが接触を開始する。そのため、時間Ｐ２以降、体温３５℃の温度Ｔ３により、熱電交換素子２のＡ面２０１の温度が上昇する。一方、熱電交換素子２のＢ面２０２は、相変化材料３が貼り付けられているので、人体の温度が相変化材料３の潜熱として蓄えられる。そのため、Ｂ面２０２の温度は、Ａ面２０１よりも温度上昇が遅れる。これにより、Ａ面２０１とＢ面２０２に温度差が発生する。この結果、熱電交換素子２に＋電流２１が流れる。この電流は、整流回路４のダイオード４１と４３により整流される。整流された電流２１は、充電回路５により、バッテリ６に供給される。これにより、バッテリ６が充電される。なお、時間Ｐ２において、相変化材料３は固体の状態である。
【００３０】
時間Ｐ３において、Ｂ面２０２の温度は相変化温度３０℃の温度Ｔ２になる。これにより、時間Ｐ３以降では、相変化材料３は、固体から液体に相変化しはじめ、固体と液体が混ざり合った状態となる。換言すれば、時間Ｔ３以降では、相変化材料３が固体から液体に変化する相変化に伴い、潜熱が蓄積されはじめる。そのため、Ｂ面２０２の温度は、一定期間相変化温度３０℃の温度Ｔ２に保たれる。この結果、熱電交換素子２には、＋電流２１が流れる。この電流は、整流回路４のダイオード４１と４３により整流される。整流された電流は、充電回路５を介して、バッテリ６に充電され続ける。
【００３１】
時間Ｐ４は、相変化材料３の状態が全て液体に変化した状態となっている。熱電交換素子２に＋電流２１が流れる。また、Ｂ面２０２の温度は、相変化温度３０℃の温度Ｔ２以上に上昇する。そのため、時間Ｐ４では、Ａ面２０１とＢ面２０２との温度差が小さい状態となる。
【００３２】
時間Ｐ５は、熱電交換素子２のＡ面２０１とＢ面２０２の温度が、共に体温３５℃のＴ３となった時である。時間Ｐ５では、Ａ面２０１とＢ面２０２の温度差が無い状態であるため、熱電交換素子２に電流は流れない。この時、相変化材料３は、液体の状態である。なお、Ａ面２０１の温度がＢ面２０２よりも高い場合の発電期間、すなわち時間Ｔ２からＴ５までを、第１発電期間と呼ぶ。
【００３３】
時間Ｐ６において、熱電交換素子２のＡ面２０１にユーザが非接触となる。これにより、Ａ面２０１の温度がＴ２から、常温２５℃の温度Ｔ１に向かい下降する。この時、Ｂ面２０２では、体温３５℃の温度Ｔ３により液体になった相変化材料３が貼り付けられている。そのため、Ａ面２０１よりも温度の下降が遅れる。これにより、Ａ面２０１とＢ面２０２に温度差が発生する。その結果、熱電交換素子２に−電流２２が流れる。この−電流２２は、整流回路４のダイオード４２と４４で整流される。そして、充電回路５により、バッテリ６に充電が開始される。
【００３４】
時間Ｐ７では、相変化材料３の温度が、相変化が起きる温度３０℃の温度Ｔ２になる。そのため、時間Ｐ７以降、相変化材料３は液体から固体に変化し始める。そのため、相変化材料３は、液体と固体が混ざり合った状態となり、潜熱が蓄積され始める。したがって、時間Ｐ７から一定期間は、相変化温度３０℃の温度Ｔ３が保たれる。これにより、Ａ面２０１とＢ面２０２の間に温度差が保たれ、熱電交換素子２には、−電流２２が流れる。この電流は、整流回路４のダイオード４２と４４により整流される。整流された電流は、充電回路5により、バッテリ６に供給される。そのため、時間Ｐ７から一定期間では、バッテリ６は、充電され続ける。
【００３５】
時間Ｐ８は、相変化材料３が、全て固体に変化した状態となっている。時間Ｐ８では、熱電交換素子２に−電流２２が流れるものの、Ｂ面２０２の温度が、常温２５℃の温度Ｔ１まで次第に下降していく。そのため、時間Ｐ８からＰ９では、Ａ面２０１とＢ面２０２との温度差が小さくなっていく。
【００３６】
時間Ｐ９は、熱電交換素子２のＡ面２０１とＢ面２０２が常温２５℃の温度Ｔ１と同じになった状態である。この状態では、Ａ面２０１とＢ面２０２には温度差がないため、熱電交換素子２に電流は流れない。時間Ｐ９において、相変化材料３は固体の状態にある。このように、Ａ面２０１の温度がＢ面２０２よりも低い場合の発電期間、すなわち時間Ｔ６からＴ９までを、第２発電期間と呼ぶ。
【００３７】
時間Ｐ１０は、発電装置１を常温２５℃の温度Ｔ１でしばらく放置したときを示している。
【００３８】
発電装置１では、上記の時間Ｐ１から時間Ｐ１０の状態を繰り返すことにより、繰り返し充電が可能である。具体的には、ユーザがＡ面２０１に接触／非接触を繰り返すことにより、第１発電期間及び第２発電期間において発電を繰り返すことができる。
【００３９】
次に、本発明に係る電子機器の発電装置１の効果について説明する。本実施の形態に係る発電装置１では、Ａ面２０１とＢ面２０２の温度差で発電する熱電交換素子２の一方のＢ面２０２に、相変化材料３を貼り合わせている。相変化材料３は、Ｂ面２０２の温度を一定に保つように機能する。これにより、相変化材料３を貼り合わせないＡ面２０１と相変化材３を貼り合わせたＢ面２０２に一定期間温度差が発生する。この温度差により、熱電交換素子２に電流を発生させている。このような構成により、ユーザが、Ａ面２０１に接触する状態と、接触しない状態を繰り返すことにより、発電装置１は、再生可能なバッテリチャージャーとして機能することができる。
【００４０】
また、本実施の形態に係る発電装置１では、人体の体温を利用しているため、従来技術のように高温側接合部や、低温側接合部の温度を維持する大掛かりな手段が不要となる。そのため、本実施形態に係る発電装置１は、従来技術よりも小型化が可能となり、携帯電話端末等の小型端末にも搭載可能となる。
【００４１】
また、本実施の形態に係る発電装置１では、整流回路４を設けることにより、Ａ面２０１がＢ面２０２よりも温度が高い第１充電期間と、Ａ面２０１がＢ面２０２よりも温度が低い第２充電期間の両方の状況において、Ａ面２０１及びＢ面２０２との温度差を利用して充電を可能としている。これにより、発電効率を向上させることができる。
【００４２】
実施の形態２．
次に、本発明の実施の形態２に係る発電装置１１の構成について説明する。図５は、本発明の実施の形態２に係る発電装置１１の構成を示すブロック図である。図５に示すように、本発明に係る発電装置１１は、熱電交換素子２、蓄熱材料３１を少なくとも備えていればよい。ここで、蓄熱材料は、熱電交換素子２のＢ面２０２の温度を一定に保つことができれば、実施の形態１の相変化材料の他の材料によって構成してもよい。このように、熱電交換素子２、蓄熱材料３１を備えるように構成することで、人体の体温と周囲の温度差を利用して発電することができる。
【００４３】
図６は、図５の発電装置１１の変形例を示す図である。図６に示す発電システム１００は、図５の発電装置１１に加えて、整流回路４１、検出部５０、報知部５１、及び太陽光発電装置５２を備えている。検出部５０は、発電装置１１が、発電を行っているか否かを検出する。例えば、検出部５０は、整流回路４、充電回路５又はバッテリ６のうちいずれかに電流が流れているか否かを検出することにより、発電装置１が発電を行っているか否かを検出する。若しくは、検出部５０は、バッテリ６の充電量の増減を検出することで、発電装置１が発電を行っているか否かを検出するように構成したり、Ａ面２０１とＢ面２０２の温度差を検出するように構成してもよい。
【００４４】
報知部５１は、検出部５０の検出結果に応じて、ユーザに、発電に必要な動作を促す情報を提供する。報知部５１は、例えば、検出部５０が、発電装置１が発電を行っていないことを検出した場合には、ユーザに、Ａ面２０１に接触／非接触するように音声を出力したり、ディスプレイに文字や図等を表示するように構成することができる。これにより、ユーザは、報知部５１によって出力された音声や文字、図等に基づいて、どのように動作（接触／非接触）すれば、発電装置１に発電させることができるのかを知ることができる。
【００４５】
太陽光発電装置５２は、太陽光のエネルギーを電力に変換する機能を備えている。このように、温度差を用いた発電装置と、太陽光発電装置５２を併用することで、状況に適した充電方法を用いて発電することができる。例えば、熱電交換素子を用いた発電装置では、ユーザがＡ面２０１に接触したり、非接触したりする動作が必要となるが、太陽光発電装置５２は、太陽光等の光源があれば、このようなユーザの動作が不要になるというメリットがある。一方、太陽光発電装置５２では、太陽等の光源が十分に得られない場合には、発電することができないが、熱電交換素子を用いた発電装置１では、太陽等の光源の状態に関わらず、人体と周囲温度に温度差があれば発電することができるというメリットがある。
【００４６】
このように、実施の形態２の変形例では、ユーザが報知部５１の指示に従ってＡ面２０１に接触したり非接触したりすることで、効率的に電力を生成することができる。また、種々の状況に応じて、発電装置１及び太陽光発電装置５２を選択して、若しくは併用して利用することで、さらに発電効率を向上させることができる。
【００４７】
なお、本発明は上記実施の形態に限られたものではなく、趣旨を逸脱しない範囲で適宜変更することが可能である。例えば、本発明は、実施の形態１及び２の発電装置を搭載した電子機器として実施することができる。例えば、本発明は、移動通信端末や、電子計算機、ＬＥＤライト等に搭載することで実施することができる。
【００４８】
また、上記の説明では、本発明を装置の発明として説明したが、本発明は、発電方法として実施することができる。この発電方法は、蓄熱材料と、第１側面と第２側面との温度差を利用して発電する熱電交換素子とを備え、第１側面は、人体の体温と、当該人体の体温とは異なる温度の周辺温度のいずれかと選択的に熱的に連結可能であり、第２側面は、蓄熱材料に熱的に連結されている発電装置を用いた発電方法として実現することができる。この発電方法は、第１発電期間において、蓄熱材料に前記体温の熱を第２側面を介して蓄熱し、第２発電期間において、体温と熱的に非連結となって周辺温度と熱的に連結した熱電交換素子の第１側面と、第１発電期間において体温により蓄熱された蓄熱材料に連結された第２側面の温度差を利用して発電する。
（付記）
本発明は、以下の電子機器及び発電方法として実施することができる。
（付記１）
請求項１乃至８のうちいずれか１項に記載の発電装置を備えた電子機器。
（付記２）
第１発電期間において、前記体温と熱的に連結した前記熱電交換素子の前記第１側面と、前記蓄熱材料と熱的に連結された前記第２側面との温度差を利用して発電し、前記第２側面の温度上昇は、前記蓄熱材料の吸熱により緩和される請求項１０に記載の発電方法。
【符号の説明】
【００４９】
１    発電装置
２    熱電交換素子
３    相変化材料
４    整流回路
５    充電回路
６    バッテリ
７    ケース
２１  プラス電流
２２  マイナス電流
４１〜４４    整流ダイオード
５０    検出部
５１    報知部
５２    太陽光発電装置
２０１    Ａ面
２０２    Ｂ面
【図１】
2013078202.tif 000003
【図２】
2013078202.tif 000004
【図３】
2013078202.tif 000005
【図４】
2013078202.tif 000006
【図５】
2013078202.tif 000007
【図６】
2013078202.tif 000008